(57)【要約】    【課題】  ライセンスに従った画像処理機能を有し、且つ前記ライセンスの情報に従って、消費電力の最適化を容易に実現することを可能とした画像処理装置を提供する。    【解決手段】  ユーザのライセンスに関する情報（ユーザライセンス情報）を管理するライセンス管理部１０４と、ライセンス管理部１０４から前記ユーザライセンス情報を受け取り且つそのユーザライセンス情報に従って前記複数の機能ブロックの中から使用する機能ブロックを特定する機能ブロック特定手段と、使用する機能ブロックには電源を供給し且つ使用しない機能ブロックには電源を供給しないように制御する電源制御部１０５とを有する。【選択図】      図１０
2006146075.tif 000002
【特許請求の範囲】
【請求項１】
画像処理に必要な複数の機能ブロックを有する画像処理装置において、
ユーザのライセンスに関する情報を管理する情報管理手段と、
前記情報管理手段から前記ライセンスに関する情報を受け取り且つそのライセンスに関する情報に従って前記複数の機能ブロックの中から使用する機能ブロックを特定する機能ブロック特定手段と、
使用する機能ブロックには電源を供給し且つ使用しない機能ブロックには電源を供給しないように制御する電源制御手段と
を有することを特徴とする画像処理装置。
【請求項２】
前記電源制御手段により電源が供給されないように制御された機能ブロックは、当該機能ブロックとしての処理は行われず、且つその機能ブロックに接続される信号線には処理データが流れないか、若しくは、隣接する機能ブロックへ信号データがスルー処理されるようにしたことを特徴とする請求項１記載の画像処理装置。
【請求項３】
前記電源制御手段は、ユーザのライセンスに関する情報に従って電源制御を行うことにより、ライセンス毎に消費電力を制御することを特徴とする請求項１記載の画像処理装置。
【請求項４】
前記電源制御手段による制御を行わない代わりに、前記ライセンスに関する情報に従って前記複数の機能ブロックの中から使用しない機能ブロックに対してクロック信号を供給しないことにより、使用しない機能ブロックを動作させないように制御するクロック制御手段を有することを特徴とする請求項１記載の画像処理装置。
【請求項５】
前記クロック制御手段によって制御が行われる機能ブロックは、全て前記クロック信号に同期した処理が行われることを特徴とする請求項４記載の画像処理装置。
【請求項６】
前記クロック制御手段によって制御が行われる機能ブロックのうち論理回路の書き換え可能なデバイスを含む場合、前記論理回路で構成される機能ブロックに対して前記クロック信号の供給を制御することにより、前記ライセンスに関する情報に従って機能ブロックの論理回路の書き換え制御を行うことを特徴とする請求項４記載の画像処理装置。
【請求項７】
前記論理回路は、ＦＰＧＡ（Field Programｍable Gate Array）から成ることを特徴とする請求項６に記載の画像処理装置。
【請求項８】
前記ライセンスに関する情報は、複数の機能ブロックの中からユーザが必要な機能ブロックを選択し、その機能ブロックをライセンスとして登録、管理することにより、ユーザにとって必要な機能ブロックのみを提供することを特徴とする請求項１記載の画像処理装置。
【請求項９】
画像処理に必要な複数の機能ブロックを有する画像処理装置を制御する制御方法において、
ユーザのライセンスに関する情報を管理する情報管理ステップと、
前記情報管理ステップから前記ライセンスに関する情報を受け取り且つそのライセンスに関する情報に従って前記複数の機能ブロックの中から使用する機能ブロックを特定する機能ブロック特定ステップと、
使用する機能ブロックには電源を供給し且つ使用しない機能ブロックには電源を供給しないように制御する電源制御ステップと
を有することを特徴とする画像処理装置の制御方法。
【請求項１０】
請求項９に記載の画像処理装置の制御方法を実現するためのコンピュータ読み取り可能なプログラムコードを有することを特徴とする制御プログラム。
【請求項１１】
請求項１０に記載の制御プログラムを格納したことを特徴とする記憶媒体。
【発明の詳細な説明】
【技術分野】
【０００１】
本発明は、ユーザのライセンス情報を管理し、その管理情報と電源制御及びクロック制御を組み合わせた画像処理装置、その画像処理装置を制御する制御方法、制御プログラム及びその制御プログラムを格納した記憶媒体に関する。
【背景技術】
【０００２】
従来、ユーザ毎に複合機の各機能毎の使用許可／禁止テーブルを持つ技術が知られている（例えば、特許文献１参照）。
【０００３】
また、従来、ネットワークに接続された複写機等の画像処理装置では、プリントアウト等の処理を実行させた場合、画像処理装置内でプリントアウトを行う枚数をカウントし、そのカウント数に従った課金を行ってきた。
【０００４】
ユーザが使用できる画像処理の機能は、その画像処理装置毎に予め決められた機能を使用でき、ユーザは、使用したい機能を持つ画像処理装置を選ばなければならないか、その画像処理装置内の機能を使うことで対応している。
【０００５】
ユーザに対する画像処理装置内の機能毎に別れたライセンス形態を設けた場合においても、ユーザの実行できるＪＯＢを制限することで実現している。
【０００６】
その際、画像処理装置に対しては、ライセンスによる画像処理装置内の消費電力の最適化は行われておらず、画像処理装置内の各機能ブロックに分かれたデバイスに一様に電源供給、若しくはクロックの供給が行われている。または、画像処理装置内で定義された処理モード等により必要な電源の供給処理を行い、消費電力の低減を図っている。
【特許文献１】特開平９−１３０５３２号公報
【発明の開示】
【発明が解決しようとする課題】
【０００７】
画像処理装置に対して処理を行う際、ユーザが使用する処理機能毎にライセンスを設け、そのライセンスに従って画像処理を行う場合、ライセンスの情報によって画像処理装置内の各機能ブロックへの電源供給の制御は行われていない。また、画像処理装置内で処理モードを設け、その処理モードにより電源管理を行う場合があるが、ライセンスにより各機能ブロックに対して電源供給の制御は行われていない。この場合、ユーザが使用しないか、または所持していないライセンスに関しても、そのライセンスの処理機能を実現するための画像処理装置内の機能ブロックに対しても電源は供給される。
【０００８】
そのため、ユーザのライセンス形態により使用しない機能ブロックが存在し、その機能ブロックにも電源が常に供給されることで、使用しない機能ブロックによる無駄な消費電力が加算されてしまう。
【０００９】
本発明は、上述した従来技術の有する問題点を解消するためになされたもので、その目的は、ライセンスに従った画像処理機能を有し、且つ前記ライセンスの情報に従って、消費電力の最適化を容易に実現することを可能とした画像処理装置、画像処理装置の制御方法、制御プログラム及び記憶媒体を提供することである。
【課題を解決するための手段】
【００１０】
上記目的を達成するため、本発明の画像処理装置は、画像処理に必要な複数の機能ブロックを有する画像処理装置において、ユーザのライセンスに関する情報を管理する情報管理手段と、前記情報管理手段から前記ライセンスに関する情報を受け取り且つそのライセンスに関する情報に従って前記複数の機能ブロックの中から使用する機能ブロックを特定する機能ブロック特定手段と、使用する機能ブロックには電源を供給し且つ使用しない機能ブロックには電源を供給しないように制御する電源制御手段とを有することを特徴とする。
【００１１】
また、上記目的を達成するため、本発明の画像処理装置の制御方法は、画像処理に必要な複数の機能ブロックを有する画像処理装置を制御する制御方法において、ユーザのライセンスに関する情報を管理する情報管理ステップと、前記情報管理ステップから前記ライセンスに関する情報を受け取り且つそのライセンスに関する情報に従って前記複数の機能ブロックの中から使用する機能ブロックを特定する機能ブロック特定ステップと、使用する機能ブロックには電源を供給し且つ使用しない機能ブロックには電源を供給しないように制御する電源制御ステップとを有することを特徴とする。
【発明の効果】
【００１２】
本発明によれば、機能毎にライセンス管理された画像処理装置を利用し、ライセンス情報に従って必要な機能ブロックのみを動作させることによって、画像処理装置の消費電力の最適化を図ることが可能になる。
【発明を実施するための最良の形態】
【００１３】
以下、本発明の好適な実施の形態について、図面を参照しながら説明する。
【００１４】
（第１の実施の形態）
まず、第１の実施の形態について、図１乃至図１４を参照して説明する。
【００１５】
図１は、本実施の形態に係る画像処理装置の電源制御の利用例を示す図であり、同図において、１０１は本実施の形態に係る複合機能を有するデジタル複写機等の画像処理装置、１０２はネットワークである。画像処理装置１０１は、ＲＯＭ（Read Only Memory）１０３、ライセンス管理部１０４、電源制御部１０５、複数の機能ブロック１０６−１，１０６−２，１０６−３，１０６−４，・・・１０６−ｎを有している。また、図１において、１０７はユーザライセンス情報データベース、１０８はユーザライセンス情報である。
【００１６】
まず、各ユーザが使用できる画像処理装置１０１内の機能ブロック１０６−１〜１０６−ｎをライセンスとして取り扱うことで、画像処理装置１０１の各機能ブロック１０６−１〜１０６−ｎをライセンスとして管理する。
【００１７】
ユーザライセンス情報１０８は、ネットワーク１０２経由で受信したデータでも良いし、画像処理装置１０１内に内蔵されるＲＯＭ１０３上の予め書き込まれたデータでも良いし、画像処理装置の後述する操作部から入力されるものでも良いものとし、これらのユーザライセンス情報は、ユーザライセンス情報データベース１０７に蓄積される。
【００１８】
ユーザライセンス情報１０８には、図２に示すような画像処理装置１０１内に用意されている機能（例えば、シートフィーダー機能、ソート機能、ステープル機能、カラー出力機能、白黒出力機能、高画質機能、ＰＤＬ対応、ＦＡＸ機能、インターネットＦＡＸ、ＢＯＸ機能、ＳＥＮＤ機能等）、ユーザが取得したライセンスの有無（ここでは、丸印がライセンス有りを、無印がライセンス無しを、それぞれ示している）、そのライセンスの画像処理機能に対するユーザの利用回数（ここでは、数値で示している）、前記ライセンスの画像処理機能に対するユーザが利用できる利用上限（ここでは、数値で示している）の情報等が含まれる。ユーザのライセンスを変更、登録する場合には、ネットワーク１０２上からユーザライセンス情報１０８の切り替え要求を画像処理装置１０１に対して送るか、画像処理装置１０１内のＲＯＭ１０３を変更したユーザライセンス情報１０８が書き込まれたＲＯＭに取り替えることで実現する。
【００１９】
次に、画像処理装置１０１内にあるライセンス管理部１０４は、ネットワーク１０２経由、またはＲＯＭ１０３上にあるユーザライセンス情報１０８を取得し、ユーザのライセンスに従って必要となる画像処理装置１０１内の各画像処理の機能ブロック１０６−１〜１０６−ｎを判別し、電源制御部１０５に必要な処理機能ブロックの情報を通知する。ユーザライセンス情報１０８は、ライセンス管理部１０４によって定期的な時間間隔か、または画像処理装置１０１に送られるＪＯＢ単位で確認が行われる。これによって、ライセンスの変更、更新を確認することが可能になる。
【００２０】
次に、電源制御部１０５は、ライセンス管理部１０４より必要な画像処理の情報を取得し、不必要な機能ブロックを判断した後、不必要な機能ブロックに対する電源供給を切断する。
【００２１】
図３は、機能ブロック１０６−１〜１０６−ｎ、ライセンス管理部１０４、電源制御部１０５の接続関係を示す図であり、図１と同一部分には、同一符号が付してある。
【００２２】
電源制御部１０５は、機能ブロック１０６−１〜１０６−３毎に用意された電源切り替え部３０１〜３０３への電源イネーブル信号を出力し、電源供給が不必要な機能ブロックへの電源を、電源切り替え部３０１〜３０３を介して切断する。電源切り替え部３０１〜３０３は、前記電源イネーブル信号に従って各機能ブロック１０６−１〜１０６−３への電源ラインの接続を選択している。
【００２３】
画像処理装置１０１内の各機能ブロック１０６−１〜１０６−ｎは、ユーザライセンス情報１０８にある機能ブロックに関しては電源が供給され、ユーザライセンス情報１０８で使用しない機能ブロックに関しては電源が供給されないように、電源制御部１０５により制御されるので、その分の消費電力が削減される。
【００２４】
そのため、ユーザライセンス情報１０８に従って画像処理装置１０１の消費電力が変わってくる。
【００２５】
以下、本実施の形態に係る画像処理装置１０１における詳細なシステム形態を説明する。
【００２６】
＜本実施の形態に係る画像処理装置１０１におけるシステム形態の説明＞
図４は、本実施の形態に係る画像処理装置１０１を有するネットワークシステムの構成を示すブロック図である。
【００２７】
図４において、４００はインターネット通信網、４０１はウェブサーバで、インターネット通信網４００上に接続され、インターネットユーザに特定のサービスを提供する。４０２は電子マネーサーバで、銀行等の金融機関４０３と消費者クライアントとの間の決済処理等を行うものである。４０４はサービスプロバイダで、個人ユーザの端末とインターネット通信網４００との接続処理を行うものである。４０５はファイアーウォールで、ＬＡＮ（Local Area Network）４０６内部と外部通信網（インターネット通信網４００）とを接続し、セキュリティ管理を行うものである。４０７はファイルサーバで、ＬＡＮ４０６で接続された複数のユーザがデータを共有することができる。４０８，４０９はＰＣ（パーソナルコンピュータ）、４１０はプリンタ、４１１は機器管理サーバで、ファイルサーバ４０７、ＰＣ４０８，４０９、プリンタ４１０にＬＡＮ４０６で接続されている。
【００２８】
１０１は本実施の形態に係る複合機能を有するデジタル複写機等の画像処理装置で、主に画像の入出力機能を有する。この画像処理装置１０１において、４１２は操作部で、ユーザが各種の操作を行うためのデバイスである。４１３はスキャナで、操作部４１２やＰＣ４０８，４０９からの指示に従って画像を読み取るものである。４１４はプリンタで、ＰＣ４０８，４０９やファイルサーバ４０７からのデータを用紙等の記録媒体上に出力（印刷）するものである。
【００２９】
４１５はコントローラユニットで、操作部４１２やＬＡＮ４０６、モデム(MODEM)を介してのデータ、ＰＣ４０８，４０９からの指示に基づいてスキャナ４１３、プリンタ４１４に対する画像データの入出力の制御を行うものである。コントローラユニット４１５は、例えば、ＬＡＮ４０６経由でネットワーク上のコマンドデータを受信し、イメージスキャナ４１３が取り込んだ画像データをコントローラユニット４１５内部のメモリに蓄積したり、ＰＣ４０８，４０９に出力したり、或いはプリンタ４１４で印刷する等の制御を行う。
【００３０】
ＰＣ４０８，４０９は、端末装置として接続されたパーソナルコンピュータであり、インターネット４００を介してウェブサーバ４０１から提供された情報を閲覧したり、画像データを画像処理装置１０１やプリンタ４１０に出力したりすることができる。
【００３１】
また、画像処理装置１０１の処理機能の一部として、ＳＥＮＤ機能、ＢＯＸ機能が含まれる。
【００３２】
ここで、ＢＯＸ機能とは、スキャナ４１３から取り込まれた画像データやＬＡＮ４０６経由で、ＰＣ４０８，４０９から送られてきた画像データを画像処理装置１０１内の所定のメモリに画像データを格納する機能のことである。ＢＯＸ機能には、各個人用にパスワードを入力し、印刷等の文書操作を行うものがある。ＳＥＮＤ機能とは、ＬＡＮ４０６等のネットワークに接続された画像処理装置１０１から、同じネットワーク上に接続された別の画像処理装置、またはＰＣ４０８，４０９等へ画像及び文書の電子データを送信することを指す。
【００３３】
なお、上記構成は、インターネットにファイアーウォール４０５を介してＬＬＡＮ４０６が接続されている構成となっているが、サービスプロバイダ４０４を介してファイアーウォール４０５が接続される構成でもかまわない。
【００３４】
＜画像処理装置１０１の構成＞
図５は、本実施の形態に係る画像処理装置１０１の外観構成を示す側面図であり、同図において、図４と同一部分には、同一符号が付してある。
【００３５】
画像入力デバイスであるスキャナ４１３は、原稿画像をランプにより照射し、ＣＣＤラインセンサ(図示せず)で読み取り、電気信号に変換することで画像データとして処理を行う。原稿用紙を原稿フィーダ５０１にセットし、画像処理装置１０１の使用者が操作部４１２から読み取り起動指示することにより、原稿フィーダは、原稿用紙を１枚ずつフィードし、原稿画像の読み取り動作を行う。
【００３６】
画像出力デバイスであるプリンタ４１４は、画像データを印刷用紙上の画像に変換する部分であり、ここでは、感光体ドラムや感光体ベルトを用いた電子写真方式により処理する場合について説明するが、微少ノズルアレイからインクを吐出して印刷用紙上に直接画像を印刷するインクジェット方式等であっても構わない。
【００３７】
プリント動作の起動は、画像処理装置１０１の内部のコントローラユニット４１５からの指示によって開始する。プリンタ４１４には、異なる印刷用紙サイズ、または異なる印刷用紙向きを選択できるように複数の給紙段を持ち、それに対応した用紙カセット５０１，５０２，５０３，５０４が設けてある。また、画像が形成された印刷用紙は、排紙トレイ５０５上に排出される。
【００３８】
図６は、本実施の形態に係る画像処理装置１０１の構成を示す側断面図であり、同図を用いて、動作の詳細を説明する。
【００３９】
なお、図６において、図４及び図５と同一部分には、同一符号が付してある。
【００４０】
図６において、６０１は原稿台ガラスで、原稿自動送り装置５０１から給送された原稿が順次、所定位置に載置される。６０２は、例えば、ハロゲンランプから構成される原稿照明ランプで、原稿台ガラス６０１に載置された原稿を露光する。６０３，６０４，６０５は走査ミラーで、図示しない光学走査ユニットに収容され、往復移動しながら、原稿からの反射光をＣＣＤユニット６０６に導く。ＣＣＤユニット６０６は、原稿からの反射光をＣＣＤに結像させる結像レンズ６０７、例えば、ＣＣＤから構成される撮像素子６０８、撮像素子６０８を駆動するＣＣＤドライバ６０９等から構成されている。撮像素子６０８からの画像信号出力は、例えば、８ビットのデジタルデータに変換された後、コントローラユニット４１５に入力される。
【００４１】
また、６１０は感光ドラムで、前露光ランプ６１１によって画像形成に備えて除電される。６１２は１次帯電器で、感光ドラム６１０を一様に帯電させる。６１３は露光手段で、例えば、半導体レーザ等で構成され、画像処理や画像処理装置１０１全体の制御を行うコントローラユニット４１５で処理された画像データに基づいて感光ドラム６１０を露光し、静電潜像を形成する。６１４は現像器で、黒色の現像剤（トナー）が収容されている。６１５は転写前帯電器で、感光ドラム６１０上に現像されたトナー像を用紙に転写する前に高電圧をかける。
【００４２】
６１６，５０１，５０２，５０３，５０４は給紙ユニットで（６１６は手差し給紙ユニット）、各給紙ローラ６１７，６１８，６１９，６２０，６２１の駆動により、転写用紙が画像処理装置１０１内へ給送され、レジストローラ６２２の配設位置で一旦停止し、感光ドラム６１０に形成された画像との書き出しタイミングがとられて再給送される。６２３は転写帯電器で、感光ドラム６１０に現像されたトナー像を給送される転写用紙に転写する。６２４は分離帯電器で、転写動作の終了した転写用紙を感光ドラム６１０より分離する。
【００４３】
転写されずに感光ドラム６１０上に残ったトナーは、クリーナ６２５によって回収される。６２６は搬送ベルトで、転写プロセスの終了した転写用紙を定着器６２７に搬送し、例えば、熱により画像が定着される。６２８はフラッパで、定着プロセスの終了した転写用紙の搬送パスを、排紙トレイ５０５、または中間トレイ６２９の配置方向のいずれかに制御する。また、６３０，６３１，６３２，６３３は給送ローラで、一度定着プロセスの終了した転写用紙を中間トレイ６２９に反転（多重）、または非反転（両面）して給送する。６３４は再給送ローラで、中間トレイ６２９に載置された転写用紙を再度、レジストローラ６２２の配設位置まで搬送する。
【００４４】
コントローラユニット４１５には、後述するＣＰＵ（中央演算処理装置）、スキャナ画像処理部、プリンタ画像処理部、ライセンス管理部１０４、電源制御部１０５等を備えており、前述の画像処理動作の制御を行う。コントローラユニット４１５についての詳細は、後述する。
【００４５】
＜画像処理装置の操作部＞
図７は、操作部４１２の構成を示す平面図である。
【００４６】
図７において、７０１はＬＣＤ表示部で、ＬＣＤ(Liquid Crystal Display)上にタッチパネルシートが貼られており、システムの操作画面を表示すると共に、表示してあるキーが押されると、その位置情報をコントローラユニット４１６に伝える。７０２はテンキーで、コピー枚数等、数字を入力する場合に使用する。７０３はスタートキーで、原稿画像の読み取り動作を開始する場合等に用いる。７０４はストップキーで、稼働中の動作を止める場合に使用する。７０５はリセット(RESET)キーで、操作部４１２からの設定を初期化する場合に用いる。
【００４７】
また、７０６はガイドキーで、キーの機能が解らない場合に、このガイドキー７０６を押すと、そのキーの説明が表示される。７０７はコピーモードキーで、複写を行う場合に押す。７０８はＳＥＮＤキーで、ＳＥＮＤ機能に関する設定、指示を行う場合に押す。７０９はＢＯＸキーで、ＢＯＸ機能に関する設定、指示を行なう場合に押す。７１０はプリンターキーで、コンピュータ等の外部装置からのプリント出力に関する設定等を行う場合に使用する。
【００４８】
図８は、操作部４１２上のパネルに相当するＬＣＤ表示部７０１に表示される基本画面の一例を示す図である。
【００４９】
図８において、８０１は拡張機能キーで、この機能拡張キー８０１を押すことによって、両面複写、多重複写、移動、綴じ代の設定、枠消しの設定等のモードに入る。８０２は画像モードキーで、この画像モードキー８０２を押すことによって、複写画像に対して網掛け、影付け、トリミング、マスキングを行うための設定モードに入る。８０３はユーザモードキーで、このユーザモードキー８０３を押すことによって、モードメモリの登録、標準モード画面の設定がユーザ毎に行える。８０４は応用ズームキーで、この応用ズームキー８０４を押すことによって、原稿のＸ方向、Ｙ方向を独立に変倍するモード、原稿のサイズと複写サイズから変倍率を計算するズームプログラムのモードに入る。８０５，８０６，８０７は、それぞれＭ１キー、Ｍ２キー、Ｍ３キーで、それぞれのモードメモリを呼び出す際に押す。８０８はコールキーで、前回設定されていた複写モードを呼び出す際に押す。８０９はオプションキーで、フィルムから直接複写するためのフィルムプロジェクタ等のオプション機能の設定を行う際に押す。８１０は位置コード出力キーで、位置コードを出力する際に押す、８１１ソーターキーで、ソート出力、グループ出力等のモード設定を行う際に押す。８１２は原稿混載キーで、原稿フィーダにＡ４サイズとＡ３サイズ、またはＢ５サイズとＢ４サイズの原稿を一緒にセットする際に押す。８１３は等倍キーで、複写倍率を１００％にする際に押す。８１４は用紙選択キーで、複写用紙の選択を行う際に押す。８１５，８１６は、それぞれ縮小キー、拡大キーで、定形の縮小、拡大を行う際に押す。８１７はズームキーで、１％刻みで非定形の縮小、拡大を行う際に押す。８１８，８１９は、それぞれ濃度キーで、一方の濃度キー８１８を押す毎に濃く複写され、他方の濃度キー８１９を押す毎に薄く複写される。８２０は濃度表示で、濃度キー８１８，８１９を押すと表示が左右へ変化する。８２１はＡＥキーで、新聞のように地肌の濃い原稿を自動濃度調整複写する場合に押す。８２２はハイファイ（ＨｉＦｉ）キーで、写真原稿のように中間調の濃度が多い原稿を複写する際に押す。８２３は文字強調キーで、文字原稿の複写で文字を際立たせたい場合に押す。
【００５０】
＜画像処理装置１０１のスキャナ４１３、プリンタ４１４＞
図９は、本実施の形態に係る画像処理装置１０１におけるスキャナ４１３、プリンタ４１４の構成を示すブロック図であり、同図において、図４及び図６と同一部分には、同一符号が付してある。
【００５１】
図９において、９０１はＣＰＵ（中央演算処理装置）で、プリンタ４１４全体の制御を行うものであり、制御手順（制御プログラム）を記憶した読み取り専用メモリ（ＲＯＭ）９０３からプログラムを順次読み取り、実行する。ＣＰＵ９０１のアドレスバス及びデータバスは、バスドライバ回路／アドレスデコーダ回路９０２を経て各負荷に接続されている。また、９０４はＲＡＭ（ランダムアクセスメモリ）で、入力データの記憶や作業用記憶領域等として用いる主記憶装置である。９０５はＩ／Ｏポートで、給紙系、搬送系、光学系の駆動を行うモータ類９０６、クラッチ類９０７、ソレノイド類９０８、また、搬送される用紙を検知するための紙検知センサ類９０９、トナー残量検知センサ９１０、高圧制御部９１１、ビーム検知センサ９１２等の装置の各負荷に接続される。
【００５２】
現像器６１４には、該現像器６１４内のトナー量を検知するトナー残量検知センサ９１０が配置されており、その出力信号がＩ／Ｏポート９０５に入力される。９１１は高圧制御部で、ＣＰＵ９０１の指示に従って、１次帯電器６１２、現像器６１４、転写前帯電器６１５、転写帯電器６２３、分離帯電器６２４へ高電圧を出力する。
【００５３】
ＣＣＤユニット６０６から出力された画像信号は、コントローラユニット４１５により、後述する画像処理を行い、画像データに従ってレーザユニット６１３の制御信号を出力する。レーザユニット６１３から出力されるレーザ光は、感光ドラム６１０を照射し、露光すると共に非画像領域において受光センサであるところのビーム検知センサ９１２によって発光状態が検知され、その出力信号がＩ／Ｏポート９０５に入力される。
【００５４】
次に、９１３はＣＰＵ（中央演算処理装置）で、イメージスキャナ４１３全体の制御を行うものであり、制御手順（制御プログラム）を記憶した読み取り専用メモリ（ＲＯＭ）９１５からプログラムを順次読み取り、実行する。ＣＰＵ９１３のアドレスバス、データバスは、バスドライバ／アドレスデコーダ回路９１４を介して各負荷に接続されている。また、ＣＰＵ９１３は、コントローラユニット４１５のＣＰＵと接続され、通信を行う。９１４はバスドライバ／アドレスデコーダ回路、９１５は読み取り専用メモリ（ＲＯＭ）で、制御手順（制御プログラム）を記憶している。９１６はＲＡＭ（ランダムアクセスメモリ）で、入力データの記憶や作業用記憶領域等として用いる主記憶装置である。９１７はＩ／Ｏインタフェースで、給紙系、搬送系、光学系の駆動を行うモータ類９１８、ランプ類９１９、また、搬送される用紙を検知する紙検知センサ類９２０等の装置の各負荷に接続される。また、ＣＣＤユニット６０６により読み込まれた画像データは、コントローラユニット４１５に転送される。
【００５５】
＜画像処理装置１０１のコントローラユニット４１５＞
図１０は、本実施の形態に係る画像処理装置１０１におけるコントローラユニット４１５の構成を示すブロック図であり、同図において、図１及び図４と同一部分には、同一符号が付してある。
【００５６】
図１０において、コントローラユニット４１５は、画像入力デバイスであるスキャナ４１３や画像出力デバイスであるプリンタ４１４と接続され、一方ではＬＡＮ４０６や公衆回線（WAN）１００１と接続することで、画像情報やデバイス情報及び情報読み取りデバイスからの情報の入出力及び制御を行う。
【００５７】
図１０に示すように、コントローラユニット４１５は、ライセンス管理部１０４、ＣＰＵ１００２、ＲＡＭ１００３、ＨＤＤ（ハードディスクドライブ）１００５、操作部Ｉ／Ｆ（インタフェース）１００６、ネットワーク（Network）１００７、モデム（MODEM）１００８、イメージバス(Image Bus)Ｉ／Ｆ（インタフェース）１００９、スキャナ・プリンタ通信Ｉ／Ｆ（インタフェース）１０１０、ＲＩＰ（ラスターイメージプロセッサ）１０１１、スキャナ画像処理部１０１２、プリンタ画像処理部１０１３、画像回転処理部１０１４、画像圧縮処理部１０１５、デバイスＩ／Ｆ（インタフェース）１０１６を有している。
【００５８】
ＣＰＵ１００２は、システム全体を制御するコントローラである。ＲＡＭ１００３は、ＣＰＵ１００２が動作するためのシステムワークメモリで、画像データを一時記憶するための画像メモリでもある。ＲＯＭ１００４は、ブートＲＯＭで、システムのブートプログラム及び前記ユーザライセンス情報が格納されている。ＨＤＤ１００５は、システムソフトウェア、画像データ、ソフトウェアカウンタ値及びライセンス管理のためのユーザライセンス情報等を格納する。操作部Ｉ／Ｆ１００６は、操作部４１２とのインタフェースを行い、操作部４１２に表示する画像データを操作部４１２に対して出力する。また、操作部Ｉ／Ｆ１００６は、操作部４１２から本システム使用者が入力した情報を、ＣＰＵ１００２に伝える役割をする。ネットワーク１００７は、ＬＡＮ４０６に接続し、情報の入出力を行う。モデム１００８は、公衆回線１００１に接続し、情報の入出力を行う。
【００５９】
ライセンス管理部１０４は、ＬＡＮ４０６等のネットワークを介してユーザ毎に選択されたユーザライセンス情報を取得するか、または、ＲＯＭ１００４上からユーザライセンス情報を取得する。また、ライセンス管理部１０４は、前記取得したユーザライセンス情報をＨＤＤ１００５に格納することで図１のユーザライセンス情報データベース１０７をＨＤＤ１００５中に構成し、ユーザのライセンス管理を行うことも可能である。前記取得したユーザライセンス情報を元に、ライセンス管理部１０４は、ユーザの画像処理実行に伴う利用回数やユーザライセンス情報を電源制御部１０５に通達する。
【００６０】
電源制御部１０５は、ライセンス管理部１０４のユーザライセンス情報に従って、コントローラユニット４１５及びプリンタ４１４、スキャナ４１３の各機能ブロックの電源制御を行うものである。コントローラユニット４１５内の各機能ブロック（ＨＤＤ１００５、操作部Ｉ／Ｆ１００６、ネットワーク１００７、イメージバスＩ／Ｆ１００９、スキャナ・プリンタ通信Ｉ／Ｆ１０１０、ＲＩＰ１０１１、スキャナ画像処理部１０１２、プリンタ画像処理部１０１３、画像回転処理部１０１４、画像圧縮処理部１０１５、デバイスＩ／Ｆ１０１６）には、図示しない電源切り替え部がそれぞれ接続されており、不必要な機能ブロックには、電源制御部１０５からの電源イネーブル信号に従って電源の供給が切断される。同様に、プリンタ４１４、スキャナ４１３に関しても、ユーザライセンス情報によって、不必要な場合には、電源の供給が遮断される。
【００６１】
スキャナ・プリンタ通信Ｉ／Ｆ１０１０は、スキャナ４１３、プリンタ４１４のＣＰＵとそれぞれ通信を行うためのインタフェースである。
【００６２】
ライセンス管理部１０４、ＣＰＵ１００２、ＲＡＭ１００３、ＨＤＤ（ハードディスクドライブ）１００５、操作部Ｉ／Ｆ（インタフェース）１００６、ネットワーク（Network）１００７、モデム（MODEM）１００８、イメージバス(Image Bus)Ｉ／Ｆ（インタフェース）１００９、スキャナ・プリンタ通信Ｉ／Ｆ（インタフェース）１０１０がシステムバス１０１７上に配置される。
【００６３】
イメージバスＩ／Ｆ１００９は、システムバス１０１７と画像データを高速で転送する画像バス１０１８を接続し、データ構造を変換するバスブリッジである。画像バス１０１８はＰＣＩバス、またはＩＥＥＥ１３９４で構成される。
【００６４】
ＲＩＰ１０１１は、ＰＤＬコードをビットマップイメージに展開する。スキャナ画像処理部１０１２は、入力画像データに対し補正、加工、編集を行う。プリンタ画像処理部１０１３は、プリント出力画像データに対して、プリンタ４１４の補正、解像度変換等を行う。画像回転処理部１０１４は、画像データの回転処理を行う。画像圧縮処理部１０１５は、多値画像データに対してはＪＰＥＧ、２値画像画像データに対してはＪＢＩＧ、ＭＭＲ、ＭＨの圧縮伸張処理を行う。デバイスＩ／Ｆ１０１６は、画像入出力デバイスであるスキャナ４１３やプリンタ４１４とコントローラユニット４１５を接続し、画像データのバスアクセスシーケンスを制御し、同期系/非同期系の変換を行う。
【００６５】
画像バス１０１８上には、ＲＩＰ１０１１、スキャナ画像処理部１０１２、プリンタ画像処理部１０１３、画像回転処理部１０１４、画像圧縮処理部１０１５、デバイスＩ／Ｆ１０１６が配置される。
【００６６】
以下、図１０に示したコントローラユニット４１５内の各ブロックについて、図１１を用いて説明する。
【００６７】
図１１は、スキャナ画像処理部１０１２の構成を示すブロック図であり、同図において、１１０１は画像バスＩ／Ｆコントローラで、画像バス１１０７と接続し、そのバスアクセスシーケンスを制御する働きと、スキャナ画像処理部１０１２内の各デバイスの制御及びタイミングを発生させる。１１０２はフィルタ処理部で、空間フィルタでコンボリューション演算を行う。１１０３は編集処理部で、例えば、入力画像データからマーカーペンで囲まれた閉領域を認識して、その閉領域内の画像データに対して、影付け、網掛け、ネガポジ反転等の画像加工処理を行う。１１０４は変倍処理部で、読み取り画像の解像度を変える場合に、ラスターイメージの主走査方向について補間演算を行い、拡大処理及び縮小処理を行う。また、副走査方向の変倍については、画像読み取りラインセンサ(図示せず)を走査する速度を変えることで行う。１１０５はテーブルで、読み取った輝度データである画像データを濃度データに変換するために行うテーブル変換処理部である。１１０６は２値化処理部で、多値のグレースケール画像データを、誤差拡散処理やスクリーン処理によって２値化処理する。スキャナ画像処理部１０１２による画像処理が終了した画像データは、再び画像バスコントローラ１１０１を介して、画像バス１１０７上に転送される。
【００６８】
図１２は、プリンタ画像処理部１０１３の構成を示すブロック図であり、同図において、１２０１は画像バスＩ／Ｆコントローラで、画像バス１２０４と接続し、そのバスアクセスシーケンスを制御する働きと、プリンタ画像処理部１０１３内の各デバイスの制御及びタイミングを発生させる。１２０２は解像度変換処理部で、ネットワーク１００７或いは公衆回線１００１から来た画像データを、プリンタ４１４の解像度に変換するための解像度変換処理を行う。１２０３はスムージング処理部で、解像度変換処理後の画像データのジャギー(斜め線等の白黒境界部に現れる画像のがさつき)を滑らかにする処理を行う。
【００６９】
＜コントローラユニット４１５のライセンス管理部１０４＞
各ユーザが使用できる画像処理装置１０１内の機能をユーザライセンス情報として、ライセンス管理部１０４にて管理を行う。前記ユーザライセンス情報の管理フローの一例を図１３に示す。
【００７０】
まず、ステップＳ１３００で、操作部４１２でユーザＩＤとパスワードを入力する等の所定のユーザ認証処理を行ない、画像処理装置にログインする。ライセンス管理部１０４は、ログインしたユーザの情報に基づいて、画像処理装置のユーザライセンスの情報として、ネットワーク経由、またはＲＯＭ１００４から対応するユーザライセンス情報を取得する。次に、ステップＳ１３０１で、前記ユーザライセンス情報がライセンス管理部１０４で管理されているユーザライセンス情報と比較して、更新のものか新規のものかを判断する。そして、新規のユーザライセンス情報であると判断された場合には、ステップＳ１３０２へ進んで、ユーザライセンス情報としてライセンス情報データベース１０７に新規に登録された後、ステップＳ１３０４へ進む。また、前記ステップＳ１３０１において、更新のユーザライセンス情報であると判断された場合には、ステップＳ１３０３へ進んで、ユーザライセンス情報データベース１０７の更新を行った後、ステップＳ１３０４へ進む。
【００７１】
ステップＳ１３０４では、ユーザライセンス情報データベース１０７内に記録されたユーザライセンス情報から、ユーザライセンス情報データベース１０７内の画像処理装置１０１の機能を実現するための機能ブロックを判別する。画像処理装置１０１内には、機能を実現するための複数の機能ブロックが用意されているため、機能毎に必要な機能ブロックか否か判断することができる。次に、ステップＳ１３０５へ進んで、必要な機能ブロックを判別した後、電源制御部１０５に前記必要となる機能ブロックの情報を通知する。
【００７２】
次に、ステップＳ１３０６で、画像処理装置１０１にＪＯＢが投入されたか否かを判断する。そして、画像処理装置１０１にＪＯＢが投入されたと判断された場合は、ステップＳ１３０７へ進んで、そのＪＯＢがライセンス管理部１０４で管理しているユーザライセンス情報データベース１０７内の機能で実現できるか否かを判断する。即ち、ユーザライセンス情報データベース１０７内に登録されている機能のライセンスの有無、機能の利用回数がユーザライセンス情報データベース１０７内の上限値を超えているか否か等を判断する。そして、ユーザライセンス情報データベース１０７内に登録されていない機能の場合や、ユーザライセンスの利用回数の上限を超えている場合には、前記ＪＯＢの実行は許可されない。前記ステップＳ１３０７において、ＪＯＢの実行が可能でないと判断された場合には、ステップＳ１３１２へ進んで、ユーザライセンスエラーとしてエラー(ERROR)処理を行うため、ＣＰＵ１００２にエラー通知を行う。ＣＰＵ１００２は、エラー通知を受け取った後、ユーザにエラーの通知を行う。
【００７３】
一方、前記ステップＳ１３０７において、前記ＪＯＢが実行可能であると判断された場合は、ステップＳ１３０８へ進んで、ライセンス管理部１０４は、ＪＯＢの実行の許可をＣＰＵ１００２に通知し、ＪＯＢの処理実行が開始される。そして、次のステップＳ１３０９で、ＪＯＢが終了するまで待機(Wait)した後、ステップＳ１３１０へ進んで、ライセンス管理部１０４は、ユーザライセンス情報データベース１０７に登録されている前記ＪＯＢの実行に必要な画像処理装置１０１の機能をカウントし、ユーザライセンス情報データベース１０７の利用回数の値を更新する。
【００７４】
次に、ステップＳ１３１１へ進んで、ユーザライセンス情報の確認が必要であるか否かを判断する。この判断は、ライセンス管理部１０４にて定期的にユーザライセンス情報データベース１０７を確認して行うか、または、ＪＯＢ単位でユーザライセンス情報データベース１０７を確認して行う。
【００７５】
前記ステップＳ１３１１において、ユーザライセンス情報の確認が必要であると判断された場合は、前記ステップＳ１３００へ戻り、また、ユーザライセンス情報の確認が必要でないと判断された場合は、本処理動作を終了する。
【００７６】
前記ユーザライセンス情報に従って、ユーザに対してライセンスによる課金を行うことで、ユーザに対して最適な機能を提供することができる。また、ユーザは、必要な機能に対してのみライセンスを結ぶことで、ライセンスによる課金費用の選択を行うことができる。
【００７７】
＜コントローラユニット４１５の電源制御部１０５＞
電源制御部１０５は、ライセンス管理部１０４から通知される必要な機能ブロックの情報に基づき、各機能ブロックの電源供給の制御を行う。電源制御部１０５にて行われる電源制御のフローの一例を図１４に示す。
【００７８】
まず、ステップＳ１４００で、電源制御部１０５は、ライセンス管理部１０４より機能ブロックの情報を受信する。次に、ステップＳ１４０１で、前記ステップＳ１４００において受信した機能ブロックの情報から、ライセンスの無い機能ブロックを選択し、使用しない機能ブロックとして判断する(電源イネーブル信号の選択)。次に、ステップＳ１４０２で、機能ブロック毎に接続されている各電源イネーブル信号のうち、前記使用しない機能ブロックの電源イネーブル信号を非アクティブにして電源の供給を遮断する（機能ブロックへの電源イネーブル信号の出力）。各機能ブロックへ供給される電源は、電源制御部１０５と前記電源切り替え部とを介して別々に電源の供給が制御される。
【００７９】
次に、ステップＳ１４０３で、電源制御部１０５は、全ての機能ブロックに対して電源イネーブル信号の出力処理が終了した後、ＣＰＵ１００２にＪＯＢ処理実行の許可を通知し、ＪＯＢの処理が実行された後、本処理動作を終了する。
【００８０】
これにより、ユーザライセンスの有る必要な機能ブロックのみに電源の供給が行われ、使用しない機能ブロックに対しては電源の供給が行われないため、使用しない機能ブロック分の消費電力が削減される。
【００８１】
以上のように、本実施の形態によれば、機能毎にライセンス管理された画像処理装置１０１を利用し、ユーザライセンス情報に従って必要な機能ブロックのみを動作させることによって、画像処理装置１０１の消費電力の最適化を図ることが可能になる。
【００８２】
また、ユーザが常に画像処理装置１０１内の全ての機能を使うわけではなく、ユーザに必要な機能のみをユーザライセンスとして管理し、且つ消費電力も必要なユーザライセンスに従って低減することで、ユーザに対する消費電力削減の利益を生む。
【００８３】
また、前記ユーザライセンス情報に従って必要な処理ブロックのみ動作させることで、機能ブロックのうちＦＰＧＡ等の書き換え可能なデバイスに対して、必要な場合のみにデバイスの書き換えアクセスを行う。これにより、画像処理装置１０１のシステムの立ち上がり時間、各処理ＪＯＢの実行に対する処理時間の短縮を図ることが可能になる。
【００８４】
（第２の実施の形態）
次に、第２の実施の形態を、図１５及び図１６を参照して説明する。
【００８５】
なお、本実施の形態に係る画像処理装置の基本的な構成は、上述した第1の実施の形態における図５〜図１２と同一であるから、必要に応じてこれら各図を流用して説明する。
【００８６】
図１５は、本実施の形態に係る画像処理装置を適用するのに好適なライセンス管理によるクロック制御による代表的な利用例を示す図であり、同図において、図３と同一部分には、同一符号が付してある。
【００８７】
本実施の形態に係る画像処理装置１０１を有するシステム構成としては、上述した第１の実施の形態における電源制御部１０５をクロック制御部１５０４に、電源切り替え部３０１〜３０３をクロック切り替え部１５０１〜１５０３に置き換える形態をとる。
【００８８】
図２に示す前記ユーザライセンス情報から、ライセンス管理部１０４は、ユーザのライセンスに従って必要となる画像処理装置１０１内の各画像処理の機能ブロックを判別し、クロック制御部１５０４に必要な機能ブロックの情報を通知する。ユーザライセンス情報は、ライセンス管理部１０４によって定期的な時間間隔か、または、画像処理装置１０１に送られるＪＯＢ単位で確認が行われる。これによって、ユーザライセンスの変更、更新を確認することが可能になる。
【００８９】
次に、クロック制御部１５０４は、ライセンス管理部１０４より必要な画像処理の情報を取得し、使用しない機能ブロックを判断した後、クロックゲート信号により不必要な機能ブロックに対するクロックの供給を遮断する。使用しない機能ブロックに対しては、クロックゲート信号を非アクティブにして各クロック切り替え部１５０１〜１５０３へ出力する。
【００９０】
但し、各機能ブロックは、全てクロック制御部１５０４にて制御可能なクロックに同期した処理ブロックであること、即ち、各機能ブロックに接続されているクロック信号のクロックが供給されない場合には、その機能ブロックは動作できない。また、各機能ブロックに供給されるクロックは、単一クロックでも複数クロックでもかまわない。
【００９１】
クロック切り替え部１５０１〜１５０３では、前記クロックゲート信号に従って、各機能ブロックへのクロック信号の接続を選択している。
【００９２】
図１５に示す例では、各機能ブロックに単一クロックが供給され、機能ブロック毎に用意されているクロック切り替え部１５０１〜１５０３にて、クロック制御部１５０４からのクロックゲート信号とクロック信号より、必要な機能ブロックのみにクロックの供給が行われている。
【００９３】
画像処理装置１０１内の各機能ブロックは、前記ユーザライセンス情報に有る機能ブロックに関してはクロックが供給され、ユーザライセンス情報で使用しない機能ブロックに関してはクロックの供給が無いため、クロックの供給の無い機能ブロックに関しては動作を行わないため、電力の消費を削減することが可能となる。
【００９４】
図１６に、本実施の形態に係る画像処理装置１０１におけるクロック制御部１５０４のクロック制御フローの一例を示す。
【００９５】
まず、ステップＳ１６００で、クロック制御部１５０４は、ライセンス管理部１０４より機能ブロックの情報を受信する。次に、ステップＳ１６０１で、前記ステップＳ１６００において受信した機能ブロックの情報から、ライセンスの無い機能ブロックを選択し、使用しない機能ブロックとして判断する（クロックゲート信号の選択）。次に、ステップＳ１６０２で、機能ブロック毎に接続されている各クロックゲート信号のうち、前記使用しない機能ブロックのクロックゲート信号を非アクティブにして、クロックの供給を遮断する（機能ブロックへのクロックゲート信号の出力）。
【００９６】
次に、ステップＳ１６０３で、クロック制御部１５０４は、全ての機能ブロックに対してクロックゲート信号の出力処理が終了した後、ＣＰＵ１００２にＪＯＢ処理実行の許可を通知し、ＪＯＢの処理が実行された後、本処理動作を終了する。
【００９７】
また、機能ブロックのうち、ＦＰＧＡ（Field Programｍable Gate Array）等の論理回路の書き換え可能なデバイスで、ライセンス毎にＦＰＧＡの論理を書き換える機能ブロックが存在する場合、クロック制御部１５０４によってクロックの供給を遮断することによって、前記ＦＰＧＡで構成される機能ブロックには、論理回路の書き換えを行わないように制御する。
【００９８】
ライセンス管理部１０４からのライセンスに従って、使用しない前記ＦＰＧＡで構成された機能ブロックへのクロックが供給されないために、ＦＰＧＡにおける論理回路の書き換えも行われない。そのため、前記論理回路の書き換え時間も必要なく、機能ブロックのライセンス確認からの処理の立ち上がり時間の短縮、実行処理時間の短縮を図ることが可能である。
【００９９】
そのため、ユーザライセンス情報に従って画像処理装置１０１の消費電力が変わってくる。
【０１００】
本実施の形態におけるその他の個所に関する詳細なシステム形態は、上述した第１の実施の形態と同等である。
【０１０１】
また、本発明は、本実施の形態に限られるものではなく、本発明の主題に基づき、どのようなものであっても適用可能である。
【０１０２】
また、本発明の目的は、上記実施の形態の機能を実現するソフトウェアのプログラムコードを記憶した記憶媒体（または記録媒体）を、システム又は装置に供給し、そのシステム又は装置のコンピュータ（またはＣＰＵやＭＰＵ）が記憶媒体に格納されたプログラムコードを読み出し実行することによっても、達成されることは言うまでもない。
【０１０３】
この場合、記憶媒体から読み出されたプログラムコード自体が前述した実施の形態の機能を実現することになり、そのプログラムコード及び該プログラムコードを記憶した記憶媒体は本発明を構成することになる。
【０１０４】
また、コンピュータが読み出したプログラムコードを実行することにより、前述した実施の形態の機能が実現されるだけでなく、そのプログラムコードの指示に基づき、コンピュータ上で稼動しているオペレーティングシステム（ＯＳ）等が実際の処理の一部または全部を行い、その処理によって前述した実施の形態の機能が実現される場合も含まれることは言うまでもない。
【０１０５】
また、記憶媒体から読み出されたプログラムコードが、コンピュータに挿入された機能拡張ボード（カード）やコンピュータに接続された機能拡張ユニットに備わるメモリに書き込まれた後、そのプログラムコードの指示に基づき、その機能拡張ボード（カード）や機能拡張ユニットに備わるＣＰＵ等が実際の処理の一部または全部を行い、その処理によって前述した実施の形態の機能が実現される場合も含まれることは言うまでもない。
【０１０６】
また、上記プログラムは、上述した実施の形態の機能をコンピュータで実現することができれば良く、その形態は、オブジェクトコード、インタプリタにより実行されるプログラムコード、ＯＳに供給されるスクリプトデータ等の形態を有するものでも良い。
【０１０７】
また、プログラムコードを供給する記憶媒体としては、例えば、フロッピー（登録商標）ディスク、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、他のＲＯＭ等を用いることができる。
【０１０８】
更に、上記プログラムは、インターネット、商用ネットワーク、若しくはローカルエリアネットワーク等に接続される不図示の他のコンピュータやデータベース等からダウンロードすることにより供給される。
【図面の簡単な説明】
【０１０９】
【図１】第１の実施の形態に係る画像処理装置における電源制御の利用例を示す図である。
【図２】第１の実施の形態に係る画像処理装置におけるユーザライセンス情報を説明する図である。
【図３】第１の実施の形態に係る画像処理装置における電源制御方法を説明する図である。
【図４】第１の実施の形態に係る画像処理装置を含むネットワークシステムを示す図である。
【図５】第１の実施の形態に係る画像処理装置の外観構成を示す図である。
【図６】第１の実施の形態に係る画像処理装置の全体構成を示す断面図である。
【図７】第１の実施の形態に係る画像処理装置における操作部の構成を示す平面図である。
【図８】第１の実施の形態に係る画像処理装置における操作部のＬＣＤ表示部の構成を示す平面図である。
【図９】第１の実施の形態に係る画像処理装置におけるスキャナ、プリンタの構成を示すブロック図である。
【図１０】第１の実施の形態に係る画像処理装置におけるコントローラユニットの構成を示すブロック図である。
【図１１】第１の実施の形態に係る画像処理装置におけるスキャナ画像処理部の構成を示すブロック図である。
【図１２】第１の実施の形態に係る画像処理装置におけるプリンタ画像処理部の構成を示すブロック図である。
【図１３】第１の実施の形態に係る画像処理装置におけるライセンス管理部の制御フローを説明する図である。
【図１４】第１の実施の形態に係る画像処理装置における電源制御部のフローを説明する図である。
【図１５】第２の実施の形態に係る画像処理装置におけるクロック制御方法を説明する図である。
【図１６】第２の実施の形態に係る画像処理装置におけるクロック制御部の制御フローを説明する図である。
【符号の説明】
【０１１０】
１０１    画像処理装置
１０４    ライセンス管理部
１０５    電源制御部
１００２  ＣＰＵ（機能ブロック特定手段）
【図１】
2006146075.tif 000003
【図２】
2006146075.tif 000004
【図３】
2006146075.tif 000005
【図４】
2006146075.tif 000006
【図５】
2006146075.tif 000007
【図６】
2006146075.tif 000008
【図７】
2006146075.tif 000009
【図８】
2006146075.tif 000010
【図９】
2006146075.tif 000011
【図１０】
2006146075.tif 000012
【図１１】
2006146075.tif 000013
【図１２】
2006146075.tif 000014
【図１３】
2006146075.tif 000015
【図１４】
2006146075.tif 000016
【図１５】
2006146075.tif 000017
【図１６】
2006146075.tif 000018